(57)【特許請求の範囲】
【請求項１】
複数視聴者に向けてデータ放送が含まれる番組コンテンツを放送する放送手段と、放送された番組コンテンツを受信し、視聴者に提示することができる、固有の管理番号または記号（Ａ）を持った受信装置とを有したテレビジョンにおける限定受信システムにおいて、
番組コンテンツの視聴時、任意の文字や数字の組み合わせによる暗証番号または記号を視聴者が入力する入力手段と、
番組コンテンツの視聴を希望する視聴者が、前記（Ａ）から番組コンテンツ固有の演算式によって得られ、かつ事前に入手した暗証番号または記号（Ｂ）に基づき、前記番組コンテンツに対し前記入力手段を用いて文字または数字（Ｂｉ）を入力した場合、
前記（Ａ）を用いた前記番組コンテンツ固有の演算式に基づいて前記（Ｂ）を導く演算処理を実行する演算手段と、
前記演算処理の結果に基づいて入力された前記（Ｂｉ）の正誤を判定する判定手段と、
前記（Ｂｉ）が正しい場合のみ、以降の番組コンテンツを前記視聴者へ提供する提供手段と
を具備したことを特徴とするテレビジョンにおける限定受信システム。
【請求項２】
請求項１に記載のテレビジョンにおける限定受信システムにおいて、
視聴者の視聴要求に対し、前記（Ａ）を用いた演算処理を、前記番組コンテンツ固有の演算式に基づいて行う演算手段と、
前記演算処理によって導出された前記（Ｂ）を、オンラインまたはオフラインにて視聴者に対して提供する暗証番号提供手段と
を備えることを特徴とするテレビジョンにおける限定受信システム。
【請求項３】
テレビジョンにおける限定受信システムにおいて、
複数視聴者に向けてデータ放送が含まれる番組コンテンツ、および、その番組コンテンツの視聴に用いる鍵情報（Ｃ’）を放送する放送手段と、
放送された番組コンテンツや前記鍵情報（Ｃ’）を受信し、前記番組コンテンツを視聴者に提示可能な固有の管理番号または記号（Ａ’）を持った受信装置と、
前記番組コンテンツの視聴時、任意の文字や数字の組み合わせによる暗証番号または記号を視聴者が入力する入力手段と、
番組コンテンツの視聴を希望する視聴者が、前記（Ａ’）と前記鍵情報（Ｃ’）とから番組コンテンツ固有の演算式によって得られ、かつ事前に入手した暗証番号または記号（Ｂ’）に基づき、前記番組コンテンツに対し前記入力手段を用いて文字または数字（Ｂｉ’）を入力した場合、
前記（Ａ’）、及び前記（Ｂｉ’）を用いた前記番組コンテンツ固有の演算式に基づいて演算結果（ｃ）を導く演算処理を実行する演算手段と、
前記鍵情報（Ｃ’）と前記演算結果（ｃ）とを照合することにより入力された前記（Ｂｉ’）の正誤を判定する判定手段と、
前記（Ｂｉ’）が正しい場合のみ、以降の番組コンテンツを前記視聴者へ提供する提供手段と
を具備したことを特徴とするテレビジョンにおける限定受信システム。
【請求項４】
請求項３に記載のテレビジョンにおける限定受信システムにおいて、
前記鍵情報（Ｃ’）が、データ放送コンテンツに割り込み事象を発生させるためのメッセージ情報（イベントメッセージ）に含まれて送信されることを特徴とするテレビジョンにおける限定受信システム。
【請求項５】
請求項３または４に記載のテレビジョンにおける限定受信システムにおいて、
視聴者の視聴要求に対し、前記（Ａ’）と前記鍵情報（Ｃ’）とを用いた演算処理を、前記番組コンテンツ固有の演算式に基づいて行う演算手段と、
前記演算処理によって導出された前記（Ｂ’）を、オンラインまたはオフラインにて視聴者に対して提供する暗証番号提供手段と
を備えることを特徴とするテレビジョンにおける限定受信システム。
【請求項６】
テレビジョンにおける限定受信システムにおいて、
複数視聴者に向けてデータ放送を含む番組コンテンツを放送する放送手段と、
通信回線を通じて視聴者からの視聴要求信号を受信し、番組コンテンツを視聴するための鍵情報を送信する鍵情報生成・送信手段と、
放送された番組コンテンツを受信し、視聴者に提示することができる、固有の管理番号または記号（Ａ”）を持った受信装置とを具備し、
前記受信装置を所有する視聴者が特定の番組コンテンツを視聴したい場合、
前記番組コンテンツ視聴前または前記番組コンテンツ視聴中に、前記（Ａ”）に添えて視聴要求信号を前記鍵情報生成・送信手段に通信回線を通じて送信する送信手段と、
前記視聴要求信号に応答して前記（Ａ”）から番組コンテンツ固有の演算式によって得られ、かつ送られてきた鍵情報（Ｃｉ”）を不揮発メモリ内に保存する保存手段と、
前記（Ａ”）を用いて、前記番組コンテンツ固有の演算式に基づいて演算結果（Ｃ”）を導く演算処理を実行する演算手段と、
保存された前記鍵情報（Ｃｉ”）を番組コンテンツ内で読み取って前記演算結果（Ｃ”）と照合することにより、前記鍵情報（Ｃｉ”）の正誤を判定し、判定結果が正しい場合のみ前記番組コンテンツの視聴制限を解除する解除手段と
を具備したことを特徴とするテレビジョンにおける限定受信システム。
【発明の詳細な説明】
【０００１】
【発明の属する技術分野】
本発明は、テレビジョンにおける限定受信システムに係り、特に、衛星デジタル放送などに代表されるデジタル放送のデータ放送を含む番組コンテンツを用い、視聴者に番組コンテンツの一部または全部を隠蔽し、放送局から許可された視聴者のみ隠蔽されたコンテンツを視聴することができる形の限定受信の仕組みを提供するものである。
【０００２】
【従来の技術】
デジタル放送における限定受信の仕組みは、既にデジタルＣＳ放送や、デジタルＢＳ放送、デジタルＣＡＴＶなどで実用化されている。
そして、より使い勝手の良い限定受信の方式やそれを実現する受信機の仕組みなどに関しては、特開平１０−１７８６２９「限定受信放送受信装置」、特開平１０−１７４０８１「限定受信方法及び限定送受信方法並びに限定受信用送信装置及び限定受信装置」、特開２００１−１１１９８０「デジタル放送受信装置」などに代表されるよう、多数の発明がなされている。
また、本発明の実施の形態にあるように、通信回線を用いて鍵情報の取得を行うタイプの限定受信方式について、特開平１０−２９０２２２「情報復号化装置及び方法並びに情報送受信装置」といった発明も考案されている。
【０００３】
【発明が解決しようとする課題】
しかし、従来の技術にある特開平１０−１７８６２９「限定受信放送受信装置」や特開平１０−１７４０８１「限定受信方法及び限定送受信方法並びに限定受信用送信装置及び限定受信装置」に代表されるようなタイプの限定受信システムは、総じてスクランブル処理を施して送信されたデジタル放送コンテンツに対して、受信機に装着されたＩＣカードを用いて、鍵開け処理を行い、契約者のみ視聴できるといった実施の形態に基づいており、放送局側に、個々の番組に対する鍵情報や、視聴者の契約情報を用意し、放送する仕組みや、番組コンテンツにスクランブル処理を施す仕組みなどが必要であり、また、受信機側にも、スクランブルを解除する仕組みなどが必要で、こういった限定受信の仕組みを運用するためには、放送局側、受信機側にも、多大なコスト負担が必要であった。
また、基本的に、現状運用されている限定受信の仕組みは、番組単位、チャンネル単位での限定受信が基本であった。
【０００４】
従来の技術にある、特開平１０−２９０２２２「情報復号化装置及び方法並びに情報送受信装置」においては、上記番組単位、チャンネル単位での限定受信を、細かいデータ単位で実現する発明がなされている。
しかし、この方法でも、データ放送の中の、あるページとある画像とある文字列のみの視聴を制御するといった、細かい制御を柔軟に運用することは困難であり、また、実現するための設備も大掛かりなものであった。
【０００５】
上記従来技術の問題点に鑑みて、本発明は、大掛かりなハードウェア資源・ソフトウェア資源を必要とせず、放送局側及び受信機側のいずれにもコスト負担をかけることのないテレビジョンにおける限定受信システムを提供することを目的とする。
また、本発明は、比較的簡易な設備でデータ放送の中の「特定のページ」「特定の画像」「特定の文字列」のみの視聴を制御するといった、細かい制御を柔軟に運用することのできるテレビジョンにおける限定受信システムを提供することを目的とする。
【０００６】
【課題を解決するための手段】
上記課題を解決するため、本願第１の発明は、複数視聴者に向けてデータ放送が含まれる番組コンテンツを放送する放送手段と、放送された番組コンテンツを受信し、視聴者に提示することができる、固有の管理番号または記号（Ａ）を持った受信装置とを有したテレビジョンにおける限定受信システムにおいて、番組コンテンツの視聴時、任意の文字や数字の組み合わせによる暗証番号または記号を視聴者が入力する入力手段と、番組コンテンツの視聴を希望する視聴者が、事前に入手した暗証番号または記号（Ｂ）に基づき、番組コンテンツに対し入力手段を用いて文字または数字（Ｂｉ）を入力した場合、（Ａ）、（Ｂ）、及び（Ｂｉ）のうちのいずれか１つ以上を用いた番組コンテンツ固有の演算式に基づいて演算処理を実行する演算手段と、演算処理の結果に基づいて（Ｂｉ）の正誤を判定する判定手段と、（Ｂｉ）が正しい場合のみ、以降の番組コンテンツを視聴者へ提供する提供手段とを具備したことを特徴とする。
【０００７】
上記テレビジョンにおける限定受信システムは、視聴者の視聴要求に対し、視聴者が所有する受信装置固有の管理番号又は記号（Ａ）を用いた演算処理を、番組コンテンツ固有の演算式に基づいて行う演算手段と、演算処理によって導出された暗証番号または記号（Ｂ）を、オンラインまたはオフラインにて視聴者に対して提供する暗証番号提供手段とを備えることが好ましい。
【０００８】
また、本願第２の発明であるテレビジョンにおける限定受信システムは、複数視聴者に向けてデータ放送が含まれる番組コンテンツ、および、その番組コンテンツの視聴に用いる鍵情報（Ｃ’）を放送する放送手段と、放送された番組コンテンツや鍵情報（Ｃ’）を受信し、番組コンテンツを視聴者に提示可能な固有の管理番号または記号（Ａ’）を持った受信装置と、番組コンテンツの視聴時、任意の文字や数字の組み合わせによる暗証番号または記号を視聴者が入力する入力手段と、番組コンテンツの視聴を希望する視聴者が、事前に入手した暗証番号または記号（Ｂ’）に基づき、番組コンテンツに対し入力手段を用いて文字または数字（Ｂｉ’）を入力した場合、（Ａ’）、（Ｂ’）、（Ｂｉ’）、及び鍵情報（Ｃ’）のうちのいずれか１つ以上を用いた番組コンテンツ固有の演算式に基づいて演算処理を実行する演算手段と、演算処理の結果に基づいて（Ｂｉ’）の正誤を判定する判定手段と、（Ｂｉ’）が正しい場合のみ、以降の番組コンテンツを視聴者へ提供する提供手段とを具備したことを特徴とする。
【０００９】
上記テレビジョンにおける限定受信システムでは、鍵情報（Ｃ’）が、データ放送コンテンツに割り込み事象を発生させるためのメッセージ情報（イベントメッセージ）に含まれて送信されることが好ましい。
上記テレビジョンにおける限定受信システムは、視聴者の視聴要求に対し、視聴者が所有する受信装置固有の管理番号又は記号（Ａ’）を用いた演算処理を、番組コンテンツ固有の演算式に基づいて行う演算手段と、演算処理によって導出された暗証番号または記号（Ｂ’）を、オンラインまたはオフラインにて視聴者に対して提供する暗証番号提供手段とを備えることが好ましい。
【００１０】
さらに、本願第３の発明であるテレビジョンにおける限定受信システムは、複数視聴者に向けてデータ放送を含む番組コンテンツを放送する放送手段と、通信回線を通じて視聴者からの視聴要求信号を受信し、番組コンテンツを視聴するための鍵情報を送信する鍵情報生成・送信手段と、放送された番組コンテンツを受信し、視聴者に提示することができる、固有の管理番号または記号（Ａ”）を持った受信装置とを具備し、受信装置を所有する視聴者が特定の番組コンテンツを視聴したい場合、番組コンテンツ視聴前または番組コンテンツ視聴中に、視聴要求信号を鍵情報生成・送信手段に通信回線を通じて送信する送信手段と、視聴要求信号に応答して送られてきた鍵情報（Ｃｉ”）を不揮発メモリ内に保存する保存手段と、保存された鍵情報（Ｃｉ”）を番組コンテンツ内で読み取って参照することにより、番組コンテンツの視聴制限を解除する解除手段とを具備したことを特徴とする。
【００１１】
【発明の実施の形態】
＜第１の実施の形態＞
図１、図４、図５、図８を用いて、本発明の第１の実施の形態を詳細に説明する。
図１は本発明の第１の実施の形態を説明する全体構成図であり、図４は本発明の実施の形態を説明する受信機の機能ブロック図であり、図５は本発明の第１の実施の形態のうち、番組の視聴申込み受付部分を説明するフローチャートである。また、図８は本発明の第１の実施の形態のうち、番組において、暗証番号が正常に入力された場合のみ、当該番組の視聴を許可する部分を説明するフローチャートである。
【００１２】
まず、視聴者（図１における１０１）は、放送局（図１における１０２）に対し、テレビジョン放送の受信装置（図１における１０３）固有の番号（本実施例の場合、受信機に備え付けてあるＩＣカードのＩＤ番号）の情報（図１における１０４）と共に、番組を視聴したい旨を届ける。
本実施の形態では、視聴者が、パソコン（図１における１０５）を用いて、放送局がインターネット（図１における１０６）上に設置した、暗証番号提供手段（ホームページ）にアクセスすることにより、上記情報のやり取りを行う。
このことは、クレジットカード番号の入力によるクレジット決済や、銀行口座決済といったような、インターネットを用いた課金の仕組みを用い、暗証番号の提供と同時に課金を行うといった、番組視聴に対する対価を同時に清算できるメリットがあることを示している。
【００１３】
インターネットに接続された暗証番号提供手段（図１における１０７）の処理の流れを図５に示す。
放送局における暗証番号提供手段（図１における１０７）は、視聴者から入力されたＩＣカードＩＤ番号「Ａ」の入力（図５における処理５０１）により、その視聴者が当該番組を視聴することができる加入者であるかどうか、加入者データベースに対して、「Ａ」を検索することにより、判定する（図５における処理５０２）。
【００１４】
もし、「Ａ」が、加入者データベースに存在しない場合、加入者にしか暗証番号を提供できない旨を知らせる（図５における処理５０３）。「Ａ」が、加入者データベースに存在した場合、「Ａ」から当該番組固有の演算ｆ（Ａ）を行い、暗証番号「Ｂ」を導き出し（図５における処理５０４）、その値を視聴者に提示する（図５における処理５０５）。以上のような処理で、視聴者は、視聴を希望する番組の暗証番号を入手する。
なお、この例の場合、視聴者はインターネットに接続された暗証番号提供手段から、暗証番号を入手したが、葉書や、電話といった、別の手段を用いて入手する方法でも実現できることは明白である。
【００１５】
次に、視聴者は実際の放送を受信する。放送局（図１における１０２）は、番組コンテンツ（図１における１０８）を放送衛星（図１における１０９）を用いて放送する。放送された番組コンテンツは、受信アンテナ（図１における１１０）で受信され、受信装置（図１における１０３）で信号処理され、テレビ（図１における１１１）を用いて視聴者に提示される。番組コンテンツは、誰もがある部分までは視聴できるが、ある部分から、コンテンツが暗証番号の入力を要求し、正常な暗証番号の入力がないと、それ以上は視聴できないように制作されている。
【００１６】
番組コンテンツにおいて、暗証番号を判定して限定受信を行う部分の処理の流れを図８に示す。
本発明を用いた限定受信を行う番組コンテンツは、限定受信の判定を行う前に、受信機固有の番号（本実施例の場合、カードＩＤ番号）「Ａ」を取得しておく（図８における処理８０１）。限定受信によって、隠蔽されたページを視聴者に提示する場合、番組コンテンツは、まず、暗証番号の入力を視聴者に要求する（図８における処理８０２）。視聴者は、事前に取得した暗証番号に基づく文字または数字「Ｂｉ」を、入力手段（図１における１１２）によって入力する。番組コンテンツは読み込んだカードＩＤの番号から、暗証番号を生成した演算を使い、暗証番号「Ｂ」を導き出す（図８における処理８０３）。番組コンテンツ（データ放送コンテンツ）は、入力された暗証番号「Ｂｉ」と、演算によって求めた暗証番号「Ｂ」を比較して（図８における処理８０４）、異なっている場合は、暗証番号が誤っているため、視聴できない旨を視聴者に提示し（図８における処理８０５）、正しい場合のみ、それ以降の番組を視聴者に提示する（図８における処理８０６）。
【００１７】
次に、本実施の形態における番組視聴時の受信装置内の信号処理の流れの例を図４を用いて説明する。
番組コンテンツを含む放送波は、アンテナ（図４における４０１）を用いて受信され、受信装置（図４における４０２）のアンテナ入力部に入力される。入力された番組コンテンツを含む放送波の信号は、受信装置におけるチューナ部（図４における４０３）で当該コンテンツを含む周波数の信号として取り出され、復調部（図４における４０４）で復調された後、ＴＳデコード部（図４における４０５）で映像、音声のストリームと、データストリームとに分離され、映像、音声のストリームはＡＶデコード部（図４における４０６）で処理され、音声、映像信号としてそれぞれ出力され、接続されたテレビ（図４における４１３）にて視聴される。また、データストリームは、ＣＰＵ（図４における４０７）によってデータとして処理され、メモリ（図４における４０８）に蓄積される。メモリに蓄積されたデータには、番組コンテンツのデータ放送部分が含まれ、また、データ放送部分の中には、図８に例示した本発明を実現する限定受信の処理が記述されている。
【００１８】
ＩＣカード（図４における４１０）のカードＩＤ番号は、ＩＣカードＩ／Ｆ部（図４における４１１）によって読み取られ、視聴者が入力装置（この例の場合、リモコン＝図４における４１３）によって入力された暗証番号は、赤外線Ｉ／Ｆ部（図４における４１４）によって読み取られる。上記カードＩＤ番号と暗証番号は、ＣＰＵによって演算され、暗証番号が正しいと判定された場合のみ、ＣＰＵの制御により、以降の番組がＡＶデコード部を介して受信装置から出力される。
なお、この実施例の場合は、テレビの受信装置を外付けチューナーの形態で説明したが、テレビ一体型チューナーを用いた場合でも実施可能であることは明白である。
【００１９】
本実施の形態の場合、番組コンテンツは、読み込んだカードＩＤの番号から暗証番号を生成した演算を使い、暗証番号を導き出し、視聴者から入力された暗証番号とを比較して暗証番号の正誤を判定したが、視聴者から入力された暗証番号の値から、暗証番号を生成した演算と逆の演算を用い、カードＩＤの値の番号を演算し、受信機における実際のカードＩＤの番号とを比較して暗証番号の正誤を判定する方式など、これらのパラメータの組み合わせによる他の方式による演算を用いても実現できることは明白である。
【００２０】
以上のような処理により、その番組に対して加入済みの視聴者は、番組内で暗証番号を入力するという簡単な操作により、当該番組を視聴することができる。また、その番組に加入していない視聴者は、暗証番号を知らないため、当然視聴することができない。
もし、暗証番号の提示を受けた加入者が、暗証番号を他人に教えてしまったとしても、受信機固有のＩＤ番号に対する暗証番号であるため、異なる受信機を持つ視聴者は、例え同じ番組を視聴して、教えてもらった暗証番号を入力したとしても、受信機のＩＤ番号との組み合わせが誤っているため、視聴することはできない。
【００２１】
＜第２の実施の形態＞
図２、図４、図６、図９を用いて、本発明の第２の実施の形態を詳細に説明する。
図２は本発明の第２の実施の形態を説明する全体構成図であり、図４は本発明の実施の形態を説明する受信機構成例であり、図６は本発明の第２の実施の形態のうち、番組の視聴申込み受付部分を説明するフローチャートである。また、図９は本発明の第２の実施の形態のうち、番組において、暗証番号が正常に入力された場合のみ、当該番組の視聴を許可する部分を説明するフローチャートである。
まず、視聴者（図２における２０１）は、放送局（図２における２０２）に対し、テレビジョン放送の受信装置（図２における２０３）固有の番号（本実施例の場合、受信機に備え付けてあるＩＣカードのカードＩＤ番号）の情報（図２における２０４）と共に、番組を視聴したい旨を届ける。
【００２２】
本実施の形態の場合、視聴者が、パソコン（図２における２０５）を用いて、放送局がインターネット（図２における２０６）上に設置した、暗証番号提供手段（ホームページ）にアクセスすることにより、上記情報のやり取りを行う。
このことは、クレジットカード番号の入力によるクレジット決済や、銀行口座決済といったような、インターネットを用いた課金の仕組みを用い、暗証番号の提供と同時に課金を行うといった、番組視聴に対する対価を同時に清算できるメリットがあることを示している。
【００２３】
インターネットに接続された暗証番号提供手段（図２における２０７）の処理の流れを図６に示す。
放送局における暗証番号提供手段は、視聴者から入力されたＩＣカードＩＤ番号「Ａ’」の入力（図６における処理６０１）により、その視聴者が当該番組を視聴することができる加入者であるかどうか、加入者データベースに対して、「Ａ’」を検索することにより、判定する（図６における処理６０２）。
【００２４】
もし、「Ａ’」が、加入者データベースに存在しない場合、加入者にしか暗証番号を提供できない旨を知らせる（図６における処理６０３）。「Ａ’」が、加入者データベースに存在した場合、その番組の鍵情報「Ｃ’」を読み込み（図６における処理６０４）、「Ａ’」と「Ｃ’」から、あらかじめ設定された演算ｆ（Ａ’，Ｃ’）を行い、暗証番号「Ｂ’」を導き出し（図６における処理６０５）、その値を視聴者に提示する（図６における処理６０６）。
以上のような処理で、視聴者は、視聴を希望する番組の暗証番号を入手する。なお、この例の場合、視聴者はインターネットに接続された暗証番号提供手段から、暗証番号を入手したが、葉書や、電話といった、別の手段を用いて入手する方法でも実現できることは明白である。
【００２５】
次に、視聴者は、実際の放送を受信する。放送局は、番組コンテンツ（図２における２０８）を、放送衛星（図２における２１０）を用いて放送する。放送された番組コンテンツは、受信アンテナ（図２における２１１）で受信され、受信装置（図２における２０３）で信号処理され、テレビ（図２における２１２）を用いて視聴者に提示される。番組コンテンツは、誰もがある部分までは視聴できるが、ある部分から、コンテンツが暗証番号の入力を要求し、正常な暗証番号の入力がないと、それ以上は視聴できないように制作されている。
【００２６】
番組コンテンツにおいて、暗証番号を判定して限定受信を行う部分の処理の流れを図９に示す。
本発明を用いた限定受信を行う番組コンテンツは、限定受信の判定を行う前に、イベントメッセージによって放送局から送信された鍵情報「Ｃ’」と、受信機固有の番号（本実施例の場合、カードＩＤ番号）「Ａ’」を取得しておく（図９における処理９０１、９０２）。
限定受信によって、隠蔽されたページを視聴者に提示する場合、番組コンテンツは、まず、暗証番号の入力を視聴者に要求する（図９における処理９０３）。視聴者は、事前に取得した暗証番号に基づく文字または数字「Ｂｉ’」を、入力手段（図２における２１３）によって入力する。
【００２７】
番組コンテンツは、入力された暗証番号の値と、受信機のカードＩＤ番号から、暗証番号を生成した演算とは逆の演算を使い、鍵情報「ｃ」を導き出す（図９における処理９０４）。
番組コンテンツは、入力された暗証番号から導き出した鍵情報「ｃ」と、イベントメッセージによって送信された鍵情報「Ｃ’」を比較して（図９における処理９０５）、異なっている場合は、暗証番号が誤っているため、視聴できない旨を視聴者に提示し（図９における処理９０６）、正しい場合のみ、それ以降の番組を視聴者に提示する（図９における処理９０７）。
【００２８】
次に、本実施の形態における番組視聴時の受信装置内の信号処理の流れの例を図４を用いて説明する。
番組コンテンツ及び鍵情報を含む放送波は、アンテナ（図４における４０１）を用いて受信され、受信装置（図４における４０２）のアンテナ入力部に入力される。入力された番組コンテンツ及び鍵情報を含む放送波の信号は、受信装置におけるチューナ部（図４における４０３）で当該コンテンツ及び鍵情報を含む周波数の信号として取り出され、復調部（図４における４０４）で復調された後、ＴＳデコード部（図４における４０５）で映像、音声のストリームと、データストリームとに分離され、映像、音声のストリームはＡＶデコード部（図４における４０６）で処理され、音声、映像信号としてそれぞれ出力され、接続されたテレビ（図４における４１３）にて視聴される。また、データストリームは、ＣＰＵ（図４における４０７）によってデータとして処理され、メモリ（図４における４０８）に蓄積される。メモリに蓄積されたデータには、番組コンテンツのデータ放送部分と、鍵情報が含まれ、また、データ放送部分の中には、図９に例示した本発明を実現する限定受信の処理が記述されている。
【００２９】
ＩＣカード（図４における４１０）のカードＩＤ番号は、ＩＣカードＩ／Ｆ部（図４における４１１）によって読み取られ、視聴者が入力装置（この例の場合、リモコン＝図４における４１３）によって入力された暗証番号は、赤外線Ｉ／Ｆ部（図４における４１４）によって読み取られる。上記カードＩＤ番号と暗証番号、及び、鍵情報は、ＣＰＵによって演算され、暗証番号が正しいと判定された場合のみ、ＣＰＵの制御により、以降の番組がＡＶデコード部を介して受信装置から出力される。
なお、この実施の形態の場合は、テレビの受信装置を外付けチューナーの形態で説明したが、テレビ一体型チューナーを用いた場合でも実施可能であることは明白である。
【００３０】
本実施の形態の場合、番組コンテンツは、入力された暗証番号の値と、受信機のカードＩＤ番号から、暗証番号を生成した演算とは逆の演算を使い、鍵情報を導き出し、イベントメッセージで送られてきた鍵情報とを比較して暗証番号の正誤を判定したが、受信機のカードＩＤ番号と、イベントメッセージにて送られてきた鍵情報の値から、暗証番号を生成した演算を用いて暗証番号を求め、視聴者にて入力された暗証番号の正誤を判定する方式など、これらのパラメータの組み合わせによる他の方法による演算を用いても実現できることは明白である。
【００３１】
以上のような処理により、その番組に対して加入済みの視聴者は、番組内で暗証番号を入力するという簡単な操作により、当該番組を視聴することができる。また、その番組に加入していない視聴者は、暗証番号を知らないため、当然視聴することができない。
もし、暗証番号の提示を受けた加入者が、暗証番号を他人に教えてしまったとしても、受信機固有のＩＤ番号に対する暗証番号であるため、異なる受信機を持つ視聴者は、例え同じ番組を視聴して、教えてもらった暗証番号を入力したとしても、受信機のＩＤ番号との組み合わせが誤っているため、視聴することはできない。
【００３２】
＜第３の実施の形態＞
図３、図４、図７、図１０を用いて、本発明の第３の実施の形態を詳細に説明する。図６は本発明の第３の実施の形態を説明する全体構成図であり、図４は本発明の実施の形態を説明する受信機構成例であり、図７は本発明の第３の実施の形態のうち、番組の視聴申込み受付部分を説明するフローチャートである。また、図１０は本発明の第３の実施の形態のうち、番組において、視聴が許可されている視聴者であると判定された場合のみ、当該番組の視聴を許可する部分を説明するフローチャートである。
【００３３】
まず、視聴者（図３における３０１）は、受信機に備えてあるアプリケーションもしくは、番組コンテンツ中のデータ放送のフォーマットにて記述されたアプリケーションによって、放送局（図３における３０２）に対し、回線（この実施例の場合、公衆回線＝図３における３０３）を用いて、接続する（図７における処理７０１）。次に、テレビジョン放送の受信装置固有の番号（この実施例の場合、受信機に備え付けてあるＩＣカードのＩＤ番号）の情報「Ａ”」（図３における３０４）を添えて、当該番組を視聴したい旨の情報（視聴要求）を送信する。
【００３４】
放送局における鍵情報生成・送信手段（図３における３０５）は、視聴者のＩＣカードＩＤ番号「Ａ”」を受け取り（図７における処理７０２）、視聴を希望している番組の加入者データベースに存在するかどうかを調べ（図７における処理７０３）、視聴を要求している視聴者が、その番組を視聴できる加入者であるか判定する。
【００３５】
もし、加入者ではなかった場合、加入者認証に失敗した旨を視聴者に提示する（図７における処理７０４）。加入者であった場合、その加入者の受信装置に対し、ＩＣカードＩＤ番号「Ａ”」を用い、その番組固有の演算方法ｆ（Ａ”）によって、鍵情報「Ｃｉ”」（図３における３０６）を導き出し（図７における処理７０５）、受信装置（図３における３１０）に対して送信し（図７における処理７０６）、回線を切断する（図７における処理７０７）。
受信装置（図３における３１０）は、受信した鍵情報「Ｃｉ”」を、自己の不揮発メモリ内に格納する。
【００３６】
次に、視聴者は、実際の放送を受信する。
放送局は、番組コンテンツ（図３における３０７）を、放送衛星（図３における３０８）を用いて放送する。番組コンテンツは、受信アンテナ（図３における３０９）で受信され、受信装置（図３における３１０）で信号処理され、テレビ（図３における３１１）を用いて視聴者に提示される。
【００３７】
番組コンテンツは、誰もがある部分までは視聴できるが、ある部分から、コンテンツが受信機のカードＩＤ番号「Ａ”」と、不揮発メモリ内の鍵情報「Ｃｉ”」を読み取り（図１０における処理１００１、１００２）、その番組固有の演算方法ｆ（Ａ”）によって求められる鍵情報「Ｃ”」（図１０における処理１００３）が不揮発メモリ内の鍵情報「Ｃｉ”」と一致するかどうかを判定し（図１０における処理１００４）、一致しない場合、コンテンツは視聴できない（図１０における処理１００５）。一致した場合（正常に鍵情報が書き込まれた受信機の場合）のみ、以降のコンテンツが視聴できる（図１０における処理１００６）ように制作される。
【００３８】
次に、本実施の形態における番組視聴時の受信装置内の信号処理の流れの例を図４を用いて説明する。
番組コンテンツを含む放送波は、アンテナ（図４における４０１）を用いて受信され、受信装置（図４における４０２）のアンテナ入力部に入力される。入力された番組コンテンツを含む放送波の信号は、受信装置におけるチューナ部（図４における４０３）で当該コンテンツを含む周波数の信号として取り出され、復調部（図４における４０４）で復調された後、ＴＳデコード部（図４における４０５）で映像、音声のストリームと、データストリームとに分離され、映像、音声のストリームはＡＶデコード部（図４における４０６）で処理され、音声、映像信号としてそれぞれ出力され、接続されたテレビ（図４における４１３）にて視聴される。また、データストリームは、ＣＰＵ（図４における４０７）によってデータとして処理され、メモリ（図４における４０８）に蓄積される。メモリに蓄積されたデータには、番組コンテンツのデータ放送部分が含まれ、また、データ放送部分の中には、図７に例示した本発明を実現する番組視聴申込みの処理や、図１０に例示した本発明を実現する限定受信の処理が記述されている。
【００３９】
ＩＣカード（図４における４１０）のカードＩＤ番号は、ＩＣカードＩ／Ｆ部（図４における４１１）によって読み取られ、モデム（図４における４１２）を用いて公衆回線を介して鍵情報生成・送信手段に向けて送信される。鍵情報生成・送信手段によって生成された番組視聴のための鍵情報は、同様に公衆回線を介してモデムを用いて受信装置（図４における４０２）に返され、不揮発メモリ（図４における４０９）に保存される。上記不揮発メモリに書き込まれた鍵情報と、上記カードＩＤ番号の組み合わせは番組内でＣＰＵによって演算され、鍵情報が正しいと判定された場合のみ、ＣＰＵの制御により、以降の番組がＡＶデコード部を介して受信装置から出力される。
なお、この実施例の場合は、テレビの受信装置を外付けチューナーの形態で説明したが、テレビ一体型チューナーを用いた場合でも実施可能であることは明白である。
【００４０】
以上のような処理により、その番組に対して加入済みの視聴者は、事前に放送局から鍵情報を入手するだけで、当該番組を視聴することができる。また、その番組に加入していない視聴者は、鍵情報を入手できないため、当然視聴することができない。
もし、鍵情報を入手した加入者が、ＩＣカードを他人に貸与したとしても、受信機固有のＩＤ番号に対応した鍵情報が受信機内部に記憶されているため、異なるカードを挿した受信機を持つ視聴者は、例え加入者からカードを貸与され同じ番組を視聴しても、受信機とカードＩＤ番号との組み合わせが誤っているため、視聴することはできない。
【００４１】
【発明の効果】
このように、本発明によれば、大掛かりなハードウェア資源・ソフトウェア資源を必要とせず、放送局側及び受信機側のいずれにもコスト負担をかけることのないテレビジョンにおける限定受信システムを提供することができる。
また、比較的簡易な設備でデータ放送の中の「特定のページ」「特定の画像」「特定の文字列」のみの視聴を制御するといった、細かい制御を柔軟に運用することが可能なテレビジョンにおける限定受信システムを提供することができる。
【図面の簡単な説明】
【図１】本発明の第１の実施の形態を説明する全体構成図。
【図２】本発明の第２の実施の形態を説明する全体構成図。
【図３】本発明の第３の実施の形態を説明する全体構成図。
【図４】本発明の実施の形態である受信装置の機能ブロック図。
【図５】本発明の第１の実施の形態を説明するフローチャート。
【図６】本発明の第２の実施の形態を説明するフローチャート。
【図７】本発明の第３の実施の形態を説明するフローチャート。
【図８】本発明の第１の実施の形態を説明するフローチャート。
【図９】本発明の第２の実施の形態を説明するフローチャート。
【図１０】本発明の第３の実施の形態を説明するフローチャート。
【符号の説明】
１０１，２０１，３０１  視聴者
１０２，２０２，３０２  放送局
１０３，２０３，３１０  受信装置
１０４，２０４，３０４  ＩＣカード番号
１０５，２０５  パソコン
１０６，２０６  インターネット
３０３  公衆回線
１０７，２０７，３０５  暗証番号提供手段
１０８，２０８，３０７  番組コンテンツ
２０９，３０６  鍵情報
１０９，２１０，３０８  衛星
１１０，２１１，３０９  受信アンテナ
１１１，２１２，３１１  テレビ
１１２，２１３  入力手段
１１３，２１４  暗証番号
【図１】
0003613791.tif 000002
【図２】
0003613791.tif 000003
【図３】
0003613791.tif 000004
【図４】
0003613791.tif 000005
【図５】
0003613791.tif 000006
【図６】
0003613791.tif 000007
【図７】
0003613791.tif 000008
【図８】
0003613791.tif 000009
【図９】
0003613791.tif 000010
【図１０】
0003613791.tif 000011